(57)【要約】【課題】構造が簡単で多くの納骨箱を省スペースの下で収納できる納骨壇を提供すること。【解決手段】遺骨が収納された納骨箱３を壁体部２に取り付けた納骨壇１であって、納骨箱３に雄型係合部４と雌型係合部５の一方が設けられ、壁体部２に雄型係合部４と雌型係合部５の他方が設けられている。雄型係合部４と雌型係合部５とは互いに係合可能とされる。雄型係合部４と雌型係合部５という簡易な組み合わせにより、壁体部２を厚くすることなく、壁体部への納骨箱３の設置を容易に実現できる。【選択図】図２
0003211476.tif 000002
【実用新案登録請求の範囲】
【請求項１】
遺骨が収納された納骨箱を壁体部に取り付けた納骨壇であって、
前記納骨箱と前記壁体部のいずれか一方には雄型係合部が設けられ、前記納骨箱と前記壁体部のいずれか他方には前記雄型係合部に着脱自在に係合する雌型係合部が設けられた
ことを特徴とする納骨壇。
【請求項２】
請求項１に記載された納骨壇において、
前記雄型係合部は前記納骨箱の背面に設けられたフックを有し、
前記雌型係合部は前記壁体部に設けられ前記フックと係合する孔又は凹部を有する
ことを特徴とする納骨壇。
【請求項３】
請求項１又は請求項２に記載された納骨壇において、
前記壁体部は、それぞれ上下に延びる中空の柱状部を複数列備え、
前記複数列の柱状部は互いに離れて配置され、前記複数列の柱状部には、それぞれ前記納骨箱が上下に複数配置され、上下に配置された納骨箱は、互いに離れて配置されている
ことを特徴とする納骨壇。
【請求項４】
請求項１ないし請求項３のいずれか１項に記載された納骨壇において、
前記納骨箱は、中空状に形成された複数のコーナー部と、前記複数のコーナー部のうち隣合うコーナー部同士を連結する板部とを備えた
ことを特徴とする納骨壇。
【考案の詳細な説明】
【技術分野】
【０００１】
本考案は、遺骨が収納された納骨箱を壁体部に取り付けた納骨壇に関する。
【背景技術】
【０００２】
地価の高い都市部に建設される寺院、その他の宗教施設では、墓地の数を増やしながらも高額となる墓地の価格を抑えるために、納骨壇が利用されている。
納骨壇には、透光性パネルで閉塞される開口部が形成された納骨壇ケースを備え、納骨壇ケースの内部に骨壺、カロート、墓石等を収納したものがある（特許文献１）。特許文献１の従来例では、多数の骨壺を収納するために、複数の納骨壇は階段状の祭壇にそれぞれ安置されている。
しかしながら、特許文献１の従来例では、納骨壇を階段状の祭壇に安置しているので、水平方向のスペースをとることになる。
そこで、壁に複数の納骨壇を配置することが考えられる。納骨壇ではないが、葬儀として用いられる祭壇として、垂直に起立した板状体の表面に多数の貫通孔や凹みからなる格子部を備え、これらの格子部に献花や装飾部品を取り付けたパネル祭壇がある（特許文献２）。
【先行技術文献】
【特許文献】
【０００３】
【特許文献１】特開平１１−６２３１９号公報
【特許文献２】特開平８−１１７０８９号公報
【考案の概要】
【考案が解決しようとする課題】
【０００４】
特許文献２の従来例は、葬儀に際して用いられる祭壇であって、納骨壇ではない。しかも、特許文献２の従来例では、板状体に貫通孔等からなる格子部を形成するため、奥行きのある装飾部品を格子部に収納するには板状体自体の厚さを厚くしなければならず、構造が複雑となるという課題がある。
【０００５】
本考案の目的は、構造が簡単で多くの納骨箱を省スペースの下で収納できる納骨壇を提供することにある。
【課題を解決するための手段】
【０００６】
本考案の納骨壇は、遺骨が収納された納骨箱を壁体部に取り付けた納骨壇であって、前記納骨箱と前記壁体部のいずれか一方には雄型係合部が設けられ、前記納骨箱と前記壁体部のいずれか他方には前記雄型係合部に着脱自在に係合する雌型係合部が設けられたことを特徴とする。
この構成の本考案では、壁体部に設けられる雌型係合部又は雄型係合部に、納骨箱に設けられた雄型係合部又は雌型係合部を係合する。雄型係合部と雌型係合部との係合としては、例えば、雄型係合部を雌型係合部に引っ掛ける、圧入する等を例示できる。
本考案では、雄型係合部と雌型係合部という簡易な組み合わせにより、壁体部自体を厚くすることを要せず、壁体部への納骨箱の設置を実現できる。
【０００７】
本考案では、前記雄型係合部は前記納骨箱の背面に設けられたフックを有し、前記雌型係合部は前記壁体部に設けられ前記フックと係合する孔又は凹部を有する構成としてもよい。
この構成では、納骨箱の背面に設けられたフックを壁体部に設けられた孔や凹部に引っ掛けることで、納骨箱が壁体部に取り付けられる。孔や凹部を納骨箱の背面ではなく壁体部に設けるので、納骨箱に孔や凹部を開けることを要しない。そのため、孔や凹部から遺骨等が漏れることを防ぐために、複雑な構造を納骨箱に採用することを要しない。
【０００８】
本考案では、前記壁体部は、それぞれ上下に延びる中空の柱状部を複数列備え、前記複数列の柱状部は互いに離れて配置され、前記複数列の柱状部には、それぞれ前記納骨箱が上下に複数配置され、上下に配置された納骨箱は、互いに離れて配置されている構成としてもよい。
この構成では、各柱状部に複数の納骨箱が上下に並んで配置されており、これらの納骨箱の間には間隔があるため、上下に配置される納骨箱の外周の色を緑色に統一し、上下に隣合う納骨箱の間の色を納骨箱の色とは異なる色とすることで、納骨壇全体を竹林のように見せることが可能となる。そのため、納骨壇全体の統一感を得ることができ、都会では実施できない樹木葬と同様な葬儀を執り行うことができる。
【０００９】
本考案では、前記納骨箱は、中空状に形成された複数のコーナー部と、前記複数のコーナー部のうち隣合うコーナー部同士を連結する板部とを備えた構成でもよい。
この構成では、コーナー部を共通にし、幅寸法が異なる板部を用いることで、大きさの異なる納骨箱を簡易かつ低コストで製造することが可能となる。
【図面の簡単な説明】
【００１０】
【図１】本考案の第１実施形態にかかる納骨壇を示す正面図。
【図２】納骨壇の側面図。
【図３】納骨壇の上面図。
【図４】納骨箱の斜視図。
【図５】納骨箱の断面図。
【図６】本考案の第２実施形態にかかる納骨壇を示す正面図。
【図７】納骨壇の側面図。
【図８】納骨箱の側面図。
【図９】納骨箱の断面図。
【図１０】（Ａ）から（Ｄ）は納骨箱に設けられた雄型係合部の変形例の斜視図。
【図１１】（Ａ）から（Ｃ）は柱状部に設けられた雌型係合部の変形例の斜視図。
【考案を実施するための形態】
【００１１】
本考案の実施形態を図面に基づいて説明する。
［第１実施形態］
図１から図５には第１実施形態が示されている。
図１、図２及び図３には第１実施形態の納骨壇の全体構成が示されている。
図１から図３において、納骨壇１は、壁体部２の正面２Ａに納骨箱３を上下左右に複数取り付けた構造である。これらの納骨箱３の間には隙間があり、上下に配置される納骨箱３の外周の色を緑色に統一し、上下左右に隣合う納骨箱の間の色を納骨箱の色とは異なる色、例えば、灰色や黄色とする。納骨箱３の外周には、上下に延びる複数の筋がつけられている。これにより、上下に配置された複数の納骨箱３が１本の竹として見えるようになり、複数本が左右に並んでいることから、納骨壇全体が竹林のように見える。なお、左右の並んだ竹の色を若干変えることで、より竹林のように見えることになる。
【００１２】
壁体部２は、建物の壁の正面に設置されるもので、壁本体２０と、壁本体２０の下部に設けられた基部２１と、壁本体２０の上部に設けられた庇部２２とを有する。
壁本体２０は、上下に延び、かつ、水平方向に互いに所定間隔離れた複数列（図１では５列）の中空の柱状部２３と、これらの柱状部２３の間の正面側を閉塞する壁面材２４とを有する。
柱状部２３の左右（水平）方向、つまり、幅方向寸法Ｍ１と隣合う柱状部２３の間の寸法Ｍ２とは同じであり、納骨箱３の幅方向寸法Ｍ３は柱状部２３の幅方向寸法Ｍ１よりも大きい（図１参照）。
柱状部２３は、アルミ押出品あるいは角柱状鋼材から形成されているものであり、建物の壁の正面に設置されている。
壁面材２４は、不燃材から形成されており、壁の正面から所定間隔離れている。
【００１３】
納骨箱３の具体的な構造が図４及び図５に示されている。
図４及び図５において、納骨箱３は、図示しない遺骨を収納するものであり、筒状部３１と、筒状部３１の下部に取り付けられた底板３２と、筒状部３１の上部に取り付けられた蓋３３とを有する。
納骨箱３の背面には雄型係合部４が設けられ、柱状部２３には雄型係合部４と着脱自在とされた雌型係合部５が設けられている（図１参照）。雌型係合部５は、納骨箱３が設置される場所に合わせて複数が上下に形成されている。
【００１４】
筒状部３１は、中空状に形成された４本のコーナー部３４と、これらのコーナー部３４のうち隣合うコーナー部３４同士を連結するアルミ製の板部３５とを有する。板部３５のうち正面部に配置されるものに名札が貼付されている。
コーナー部３４は、アルミの押出成形材から構成されており、その内周部にビス受部３４Ａを有する。コーナー部３４の外周面と内周面とはそれぞれ断面円弧状とされている。
コーナー部３４の端部には板部３５の端縁を挟持する断面コ字状の係合片３４Ｂが設けられている。
底板３２と蓋３３とは、それぞれ外周が筒状部３１の外周と一致して形成されたアルミ製の板材である。底板３２と蓋３３とは、ビスＢがビス受部３４Ａにねじ込まれることで、筒状部３１の端部に固定されている。
【００１５】
雄型係合部４は、納骨箱３の背面において、係合片３４Ｂに端部が取り付けられたプレート４１と、プレート４１に取り付けられたフック４２とを有する。
フック４２は、細長い板材の両端をそれぞれ直角に折り曲げて形成されたものであり、板状部４２１と、板状部４２１の両端にそれぞれ形成された係合片部４２２とを有する。係合片部４２２はプレート４１に近接する根本部分４２Ａと根本部分４２Ａから先端が下方に向けて折れ曲がった先端部分４２Ｂとを有する。
図１及び図２において、雌型係合部５は、柱状部２３において水平方向に延びて形成された孔であり、雄型係合部４が挿入される矩形状部５１と、矩形状部５１の両端から下方に延びて形成され係合片部４２２の先端部分４２Ｂを係合する係合溝５２とを有する。
【００１６】
以上の構成の納骨壇１では、それぞれ４つのコーナー部３４及び板部３５から筒状部３１を組み立て、筒状部３１に底板３２を取り付け、筒状部３１の背面に雄型係合部４を取り付ける。そして、筒状部３１の中に遺骨の一部を、直接、あるいは図示しない筒の中に入れた状態で納め、さらに、蓋３３を筒状部３１に取り付ける。
このように組み立てられた納骨箱３のフック４２を、予め設置された柱状部２３に孔として形成された雌型係合部５に差し込み、下方に押し下げることで、フック４２の根本部分４２Ａを係合溝５２に引っ掛ける。納骨箱３を柱状部２３に複数取り付けることで、納骨壇１が施工される。
【００１７】
第１実施形態では、次の効果を奏することができる。
（１）納骨箱３に雄型係合部４が設けられ、壁体部２には雌型係合部５が設けられているので、雄型係合部４と雌型係合部５という簡易な組み合わせにより、壁体部２を厚くすることなく、壁体部２への納骨箱３の設置を容易に実現できる。
【００１８】
（２）雄型係合部４は納骨箱３の背面に設けられたフック４２を有し、雌型係合部５は壁体部２に設けられた孔を有するから、納骨箱３に遺骨等が漏れることを防止するために複雑な構造を採用することを要しない。
（３）壁体部２は、互いに離れて配置された複数列の中空の柱状部２３を備え、これらの柱状部２３には、それぞれ納骨箱３が上下に複数配置され、上下に配置された納骨箱３は、互いに離れて配置されているから、上下に配置される納骨箱３の外周の色を緑色に統一し、上下に隣合う納骨箱３の間の色を納骨箱の色とは異なる色とすることで、納骨壇全体を竹林のように見せて納骨の統一感を得ることができる。
【００１９】
（４）雌型係合部５を構成する孔に係合溝５２を設けたから、係合溝５２にフック４２の根本部分４２Ａを係合することで、納骨箱３が壁体部２から外れることを防止できる。
（５）納骨箱３は、中空状に形成された４本のコーナー部３４と、隣合うコーナー部３４同士を連結する板部３５とを備えたから、板部３５の幅寸法を変えることで、大きさの異なる納骨箱３を簡易かつ低コストで製造することが可能となる。
【００２０】
［第２実施形態］
本考案の第２実施形態を図６から図９に基づいて説明する。第２実施形態の説明において、第１実施形態と同一構成要素は同一符号を付して説明を省略する。
図６及び図７には、第２実施形態の納骨壇の全体構成が示されている。
図６及び図７において、納骨壇６は、壁体部７の正面７Ａに納骨箱８を上下左右に複数取り付けた構造である。第２実施形態では、納骨壇全体を竹林のように見せるため、隣合う納骨箱８の間に隙間を設け、上下に配置される納骨箱８の外周の色を緑色に統一し、上下左右に隣合う納骨箱８の間の色を納骨箱８の色とは異なる色とする。
壁体部７は、雌型係合部５が設けられた壁本体２０と、壁本体２０の下部に設けられた抽出部７１と、壁本体２０の上部に設けられた庇部２２とを有する。
抽出部７１は、納骨箱８で収納しきれない余骨を収納するものである。抽出部７１に収納された余骨はまとめて再火葬される。
【００２１】
納骨箱８の具体的な構造が図８及び図９に示されている。
図８及び図９において、納骨箱８は、筒状部８１と、筒状部８１の下部に取り付けられた底板３２と、筒状部８１の上部に取り付けられた蓋３３と、蓋３３の上に取り付けられた仏像８２と、筒状部８１の背面に取り付けられた背板８３とを有する。
背板８３にはフック４２が設けられている。
筒状部８１は、４箇所のコーナー部８１Ａと、これらのコーナー部８１Ａのうち隣合うコーナー部８１Ａ同士を連結する板部８１Ｂと、板部８１Ｂに内接する内筒部８１Ｃとがアルミ押出で一体形成されている。
【００２２】
板部８１Ｂのうち正面に位置する部分には、板状の名札８４が収納される名札枠８５が取り付けられている。名札枠８５は、正面部８５Ａと、正面部８５Ａの両端部に形成された断面Ｌ形の係止片８５Ｂとを有する。正面部８５Ａは、名札８４に記載された文字等を外から見せるための開口８５Ｃを有する。係止片８５Ｂは、板部８１Ｂに形成された係止溝８１Ｄに係合される。
仏像８２は、蓋３３の下面からねじ８２Ａで取り付けられている。
背板８３は、１枚のアルミ板の両側を折り曲げて形成されたものであり、ねじ８３Ａで筒状部３１の側面に取り付けられている。
【００２３】
以上の納骨壇６を施工する方法は第１実施形態と同じであり、第１実施形態の効果（１）〜（４）と同様の効果を奏することができる他、次の効果を奏することができる。
（６）板部８１Ｂには、板状の名札８４が収納される名札枠８５が着脱自在に取り付けられ、名札枠８５と板部８１Ｂとの間には名札８４が収納される構成であるため、名札８４の交換を、筒状部８１を分解することなく簡易に行うことができる。
【００２４】
なお、本考案は前述の各実施形態に限定されるものではなく、本考案の目的を達成できる範囲での変形、改良等は本考案に含まれるものである。
例えば、前記各実施形態では、フック４２を、板状部４２１と、板状部４２１の両端にそれぞれ形成された係合片部４２２とを有する構成としたが、本考案では、図１０で示される構成とすることもできる。例えば、図１０（Ａ）に示される通り、フックを、２本の雄ねじ部９１としてもよく、図１０（Ｂ）に示される通り、２つのＬ型のフック材９２としてもよい。これらの例では、雄ねじ部９１の頭部やフック材９２の先端部が孔に引っ掛かることになる。さらに、図１０（Ｃ）に示される通り、竹のイメージとした化粧材９３を用い、化粧材９３に２つのフック材９２を一体に形成したものでもよい。さらに、図１０（Ｄ）に示される通り、板状部４２１の両側に係合片部４２２を設ける構成に変えて、断面Ｌ字型の係合片部４２２を連続して形成したもの、つまり、板状部の先端縁を折り曲げる構成としてもよい。
【００２５】
さらに、前記各実施形態では、雌型係合部５を、柱状部２３において水平方向に延びて形成され雌型係合部５が挿入される矩形状部５１と、矩形状部５１の両端から下方に延びて形成され係合片部４２２の先端部分４２Ｂを係合する係合溝５２とを有する構成としたが、本考案では、図１１（Ａ）に示される通り、雌型係合部９４を２つのＬ型の孔９４０を形成するものでもよい。例えば、図１１（Ａ）において、孔９４０は、図１０（Ａ）で示される雄ねじ部９１を挿通する縦孔部９４１と、縦孔部９４１の下端に一体に形成され納骨箱３，８の上下方向の移動を規制する横孔部９４２とを有する。
さらに、孔に変えて、図１１（Ｂ）に示される通り、雌型係合部９５を係合片９５０としてもよい。係合片９５０は、長尺状部９５１と、長尺状部９５１の両端に形成されたＬ字状部９５２とを有し、Ｌ字状部９５２のうち長尺状部９５１と平行な片部で係合片部４２２の先端部分４２Ｂを引っ掛ける構成である。また、図１１（Ｃ）に示される通り、係合溝５２を必ずしも設けることを要せず、矩形状部５１のみを形成するものでもよい。さらに、雌型係合部を柱状部２３を貫通する孔から形成するものではなく、柱状部２３の壁部を肉厚にし、この壁部の正面に形成された凹部から形成するものでもよい。
【００２６】
また、本考案では、雄型係合部４を壁体部２に設け、雌型係合部５を納骨箱３，８に設けるものであってもよい。
さらに、雄型係合部を先端が鏃状とした部材とし、雌型係合部を鏃状が嵌合される凹部とした部材から構成してもよい。
また、壁体部２，７を複数の板材を平行に配置した二重壁から構成してもよい。
さらに、壁体部２，７を柱状部２３を備えた構成としたが、本考案では、裏面開口の容器状で、正面に竹林等の背景を設けたものでもよい。
【符号の説明】
【００２７】
１，６…納骨壇、２，７…壁体部、２０…壁本体、２３…柱状部、３，８…納骨箱、３１，８１…筒状部、３４…コーナー部、３５…板部、４…雄型係合部、４１…プレート、４２…フック、４２１…板状部、４２２…係合片部、５，９４…雌型係合部、５１…矩形状部、５２…係合溝
【図１】
0003211476.tif 000003
【図２】
0003211476.tif 000004
【図３】
0003211476.tif 000005
【図４】
0003211476.tif 000006
【図５】
0003211476.tif 000007
【図６】
0003211476.tif 000008
【図７】
0003211476.tif 000009
【図８】
0003211476.tif 000010
【図９】
0003211476.tif 000011
【図１０】
0003211476.tif 000012
【図１１】
0003211476.tif 000013